(57)【要約】【課題】マルチアンテナシステムにおけるフィードバック情報の送信方法を提供する。【解決手段】複数のサブバンドの各々に対して決定されたデータ処理に関するプリセットであるサブバンドプリセット情報に従って、これら複数のサブバンドのうち少なくとも一つのサブバンドを選択する段階と、選択されたサブバンドのサブバンドインデックスを送信する段階と、を備える。各ユーザ端末に別途にプリコーダやＭＣＳレベルを表すインデックスを送信する代わりにサブバンドインデックスだけをフィードバックするようになるため、フィードバックオーバーヘッドを減らすことができる。【選択図】図３
2010533409.tif 000002
【特許請求の範囲】
【請求項１】
マルチアンテナシステムにおけるフィードバック情報の送信方法において、
複数のサブバンドの各々に対して決定されたデータ処理に関するプリセットであるサブバンドプリセット情報に従って、前記複数のサブバンドのうち少なくとも一つのサブバンドを選択する段階と、
前記選択されたサブバンドのサブバンドインデックスを送信する段階と、
を備えるフィードバック情報の送信方法。
【請求項２】
前記サブバンドインデックスは、アップリンク制御チャネル上に送信される請求項１に記載のフィードバック情報の送信方法。
【請求項３】
前記少なくとも一つのサブバンドを選択する前に、前記サブバンドプリセット情報を受信する段階をさらに備える請求項１に記載のフィードバック情報の送信方法。
【請求項４】
前記サブバンドプリセット情報は、プリコーダであり、前記プリコーダは、マルチアンテナシステムにおけるデータのプリコーディングに使われる行列である請求項１に記載のフィードバック情報の送信方法。
【請求項５】
前記プリコーダは、同じサブバンドインデックスを送信する全てのユーザ端末に対して同じである請求項４に記載のフィードバック情報の送信方法。
【請求項６】
前記サブバンドプリセット情報は、前記複数のサブバンドの各々に対応するＭＣＳレベルである請求項１に記載のフィードバック情報の送信方法。
【請求項７】
前記サブバンドプリセット情報は、プリコーダ及びＭＣＳレベルであり、前記プリコーダは、マルチアンテナシステムにおけるデータのプリコーディングに使われる行列である請求項１に記載のフィードバック情報の伝送方法。
【請求項８】
マルチアンテナを用いたデータ送信方法において、
ユーザ端末からフィードバック情報を受信する段階であって、前記フィードバック情報は、少なくとも一つのサブバンドインデックスを含み、前記サブバンドインデックスは、複数のサブバンドの一つを指示する段階と、
前記複数のサブバンドの各々に対して決定されたデータ処理に関するプリセットであるサブバンドプリセット情報に従ってダウンリンクデータを処理する段階と、
前記ダウンリンクデータを前記ユーザ端末に送信する段階と、
を備えるデータ送信方法。
【請求項９】
前記サブバンドプリセット情報は、プリコーダであり、前記プリコーダは、マルチアンテナシステムにおけるデータのプリコーディングに使われる行列である請求項８に記載のデータ送信方法。
【請求項１０】
前記サブバンドプリセット情報は、プリコーダ及び変調符号化(ＭＣＳ)レベルであり、前記プリコーダは、マルチアンテナシステムにおけるデータのプリコーディングに使われる行列である請求項８に記載のデータ送信方法。
【請求項１１】
前記少なくとも一つのサブバンドインデックスを受信する前に、前記サブバンドプリセット情報を送信する段階をさらに備える請求項８に記載のデータ送信方法。
【請求項１２】
前記サブバンドプリセット情報は、ダウンリンク制御チャネル上に送信される請求項１１に記載のデータ送信方法。
【請求項１３】
前記ユーザ端末から前記サブバンドインデックスを受信する前に、前記サブバンドインデックスを要求する段階をさらに備える請求項８に記載のデータ送信方法。
【請求項１４】
前記ダウンリンクデータは、マルチキャストデータである請求項８に記載のデータ送信方法。
【請求項１５】
前記ダウンリンクデータは、ブロードキャストデータである請求項８に記載のデータ送信方法。
【発明の詳細な説明】
【技術分野】
【０００１】
本発明は、無線通信に関し、より詳しくは、マルチアンテナシステムにおけるフィードバック情報の送信方法に関する。
【背景技術】
【０００２】
情報通信サービスの普遍化、多様なマルチメディアサービスの登場、高品質サービスの出現など、通信サービスに対する要求が急速に増大している。このような要求を満たすために、多様な無線通信技術が多様な分野で研究されている。
【０００３】
マルチメディアデータは、サービス種類に従って、多様なデータレート、多様な伝送品質などを要求するため、既存の音声中心のサービス提供とは異なる概念のリンク適応技法が要求される。適応変調符号化(Adaptive Modulation and Coding：AMC)技法は、このようなデータ送信に効率的なリンク適応技法であり、データレートをチャネル環境に合うように変化させる適応方式である。データレートは、変調符号化選択(Modulation and Coding Selection：MCS)レベルにより決定され、ＭＣＳレベルは、予め定義された変調及びチャネルコーディングの組合せに対するレベルである。ＭＣＳレベルは、信号対干渉雑音比(Signal to Interference plus Noise Ratio：SINR)、搬送波対干渉雑音比(Carrier to Interference plus Noise Ratio：CINR)、チャネル品質情報(Channel Quality Information：CQI)等によって決定される。ＡＭＣ技法の支援のためにはユーザ端末(User Equipment：UE)のＳＩＮＲに対する情報を基地局が知っていなければならず、ユーザ端末は、ＣＱＩなどを使用して受信チャネル品質を基地局に伝達する。
【０００４】
一方、追加的な周波数割当や電力増加のなしに通信容量及び通信性能を向上させることができる技術のうち一つが多入力多出力(multiple input multiple output：MIMO)技術である。すなわち、送信アンテナの数及び受信アンテナの数を同時に増やすようになれば、アンテナ数に比例して理論的なチャネル伝送容量が増加するため、周波数効率を向上させることができる。
【０００５】
ＭＩＭＯ技術は、空間ダイバーシティ(spatial diversity)方式と空間多重化(spatial multiplexing)方式とに分類することができる。空間ダイバーシティ方式は、多様なチャネル経路を用いて伝送信頼度を高める。空間多重化方式は、多数のデータストリームを同時に送信してデータレートを向上させる。最近、このような二つの方式を適切に結合して各々の長所を適切に得ようとする方式に対する研究が行われている。
【０００６】
データレートを増加させるためにプリコーディング(Precoding)技法(または、ビーム形成(Beam forming)技法)を使用することができる。前記プリコーディング技法は、送信機から受信機までのダウンリンクチャネル情報を用いて、送信機が送信しようとする各データ列に送信加重値をかけて送信する技法である。従って、送信機では送信機の各送信アンテナから受信機の各受信アンテナへのダウンリンクチャネル状態を知っていなければならない。このためには、受信機が、ダウンリンクチャネル状態を推定した後、前記推定されたダウンリンクチャネル状態情報を送信機にフィードバック(Feedback)しなければならない。しかしながら、ダウンリンクチャネル状態情報を送信機にフィードバックするためには、アップリンクフィードバックチャネルを用いた多い量のフィードバックデータ送信が要求される。
【０００７】
これに伴いフィードバック情報量を減らすコードブック(Codebook)技法がある。コードブック技法は、送信機と受信機が知っている限定された数のプリコーダからなるプリコーダコードブック(Precoder Codebook)において、受信機が候補プリコーダの中から最大データレートを有するプリコーダを決定し、前記プリコーダのインデックス(Index)を送信機にフィードバックする。送信機は、プリコーダコードブックの中からフィードバックされたプリコーダインデックスにともなうプリコーダを使用してデータを送信する。
【０００８】
マルチアンテナを有する送信器は、ブロードキャスト(broadcast)、マルチキャスト(multicast)及び/またはユニキャスト(unicast)の送信によって同時に多数の送信信号を送信することができる。ブロードキャスト送信は、特定領域(例えば、セル及び/またはセクタ)内の全てのユーザに送ることであり、マルチキャスト送信は、少なくとも一つのユーザからなる特定グループに送ることであり、ユニキャスト送信は、特定ユーザに送ることをいう。
【発明の概要】
【発明が解決しようとする課題】
【０００９】
ユニキャスト送信のようなポイント・ツー・ポイント(point-to-point)システムではプリコーディングがあまり問題にならない。しかしながら、マルチアンテナを用いたマルチキャストまたはブロードキャスト送信(以下、多数のユーザデータの送信)のようなポイント・ツー・マルチポイント(point-to-multi point)システムでは複数のユーザをグループ化してサービスするようになり、各ユーザごとに別途のプリコーディング情報及びＭＣＳレベル情報を基地局にフィードバックするようになれば、フィードバックオーバーヘッドを招くようになり、さらに、各ユーザに適したＭＣＳレベル及びプリコーダが異なるため、適切なコーディング及びビーム形成のためのスケジューリングをするのも難しい。
【００１０】
従って、マルチアンテナを用いた多数のユーザデータの送信においてＭＣＳレベルまたはＣＱＩまたはプリコーダのようなフィードバック情報を効率的に基地局に送信する方法が要求される。
【００１１】
本発明の目的は、このような要求に符合するマルチアンテナシステムにおけるフィードバック情報の送信方法を提供することである。
【課題を解決するための手段】
【００１２】
本発明の一態様によると、フィードバック情報の送信方法を提供する。この方法は、複数のサブバンドの各々に対して決定された(settled)データ処理に関するプリセット(preset)であるサブバンドプリセット情報に従って、これら複数のサブバンドのうち少なくとも一つのサブバンドを選択する段階、及び選択されたサブバンドのサブバンドインデックスを送信する段階、を備える。
【００１３】
本発明の他の態様によると、マルチアンテナを用いたデータ送信方法を提供する。この方法は、ユーザ端末(User Equipment)からフィードバック情報を受信する段階であって、このフィードバック情報は、少なくとも一つのサブバンドインデックスを含み、このサブバンドインデックスは、複数のサブバンドの一つを指示し、これら複数のサブバンドの各々に対して決定されたデータ処理に関するプリセットであるサブバンドプリセット情報に従ってダウンリンクデータを処理する段階、及びダウンリンクデータをユーザ端末に送信する段階、を備える。
【発明の効果】
【００１４】
ユニキャスト送信において、別途にプリコーダインデックスを送信する代わりにサブバンドインデックスだけをフィードバックするようになるため、フィードバックオーバーヘッドを減らすことができる。複数のユーザ端末(User Equipment：UE)に同じデータを送信するマルチキャストまたはブロードキャスト送信において、各ユーザ端末に別途にプリコーダや変調符号化(ＭＣＳ)レベルを表すインデックスを送信する代わりにサブバンドインデックスだけをフィードバックするようになるため、フィードバックオーバーヘッドを減らすことができる。また、複数のユーザ端末内で同じ方式のプリコーディングを適用することができるユーザ端末同士でサブグループを形成して一括的に処理するため、プリコーディングが容易であり、かつプリコーディング/ビーム形成ゲインを得ることができる。
【図面の簡単な説明】
【００１５】
【図１】無線通信システムを示す。
【図２】多数のユーザを含む一つのセルを示す。
【図３】本発明の一実施例に係る基地局のブロック図である。
【図４】本発明によるサブバンドを示すグラフである。
【図５】本発明の一実施例に係るユーザ端末を示すブロック図である。
【図６】本発明の一実施例に係るサブバンドインデックスを送信する方法を示すフローチャートである。
【発明を実施するための形態】
【００１６】
図１は、無線通信システムを示す。
【００１７】
図１を参照すると、無線通信システム(１００)は、システム全体にわたって分布する多数の基地局(base station：１１０)を含む。基地局(１１０)は、一般的に固定された局(fixed station)をいい、ノードＢ(node-B)、無線基地局装置(base transceiver system：BTS)、アクセスポイント(access poiＮＴ)等、他の用語で呼ばれることができる。ユーザ端末(user equipment：UE)１２０は、固定する、あるいは移動性を有することができ、移動局(mobile station：MS)、ユーザ端末装置(user terminal：UT)、加入者設備(subscriber station：SS)、無線機器(wireless device)等、他の用語で呼ばれることができる。以下、ダウンリンクは、基地局(１１０)からユーザ端末(１２０)への通信を意味し、アップリンクは、ユーザ端末(１２０)から基地局(１１０)への通信を意味する。一つの基地局(１１０)がサービスを提供する領域をセル(１５０)という。一つのセル(１５０)は、複数のセクタ(未図示)に区分されることができる。ここでは７個のセル(１５０)を表しているが、セル(１５０)の数や配置は通信システム(１００)に応じて多様に変えられることができる。
【００１８】
図２は、多数のユーザを含む一つのセルを示す。
【００１９】
図２を参照すると、基地局は、マルチアンテナを有し、多重化された多重送信信号を各ユーザ端末(１４０ａ、１４０ｂ)に送信する。ユーザ端末(１４０ａ、１４０ｂ)は、一つまたは多数のアンテナを有することができる。通信システムは、ＭＩＭＯ(multiple input multiple output)システムであってもよく、多入力単一出力(multiple input single output：MISO)システムであってもよい。ＭＩＭＯシステムは、複数の送信アンテナ及び複数の受信アンテナを使用する。ＭＩＳＯシステムは、複数の送信アンテナ及び一つの受信アンテナを使用する。
【００２０】
マルチアンテナを有する基地局(１３０)は、ブロードキャストまたはマルチキャスト送信(以下、多数のユーザデータの送信という)を介して同時に多数の信号を送信することができる。ブロードキャスト送信は、特定領域(例えば、セル及び/またはセクタ)内の全てのユーザに送ることであり、マルチキャスト送信は、少なくとも一つのユーザからなる特定グループに送ることをいう。例えば、セル内の全てのユーザ端末(例えば、ユーザ端末１４０ａ、１４０ｂ)は、ブロードキャスト信号を受信することができる。また、特定グループに属するユーザ端末(１４０ｂ)は、マルチキャスト信号を受信することができる。これをユーザ端末の立場からみれば、各ユーザ端末(１４０ａ、１４０ｂ)は、自分に必要な信号を受信することができる。第１のユーザ端末(１４０ａ)は、ブロードキャスト信号だけを受信する。第２のユーザ端末(１４０ｂ)は、ブロードキャスト信号及びマルチキャスト信号を受信する。
【００２１】
図３は、本発明の一実施例に係る基地局(３００)のブロック図である。
【００２２】
図３を参照すると、基地局(３００)は、送信制御部(３１０)、送信処理部(３２０)、ＭＩＭＯ前処理部(３３０)、アンテナ(３４０-１,...,３４０-ＮT)を含む。送信制御部(３１０)は、サブバンドテーブル(３５０)を含み、ユーザ端末からサブバンドインデックスを受信する。送信制御部(３１０)は、サブバンドインデックスに基づくＭＣＳレベル情報を送信処理部(３２０)に送り、サブバンドインデックスに基づくプリコーダをＭＩＭＯ前処理部(３３０)に送る。サブバンドテーブル(３５０)及びサブバンドインデックスに関しては後述する。
【００２３】
送信処理部(３２０)は、送信制御部(３１０)からＭＣＳレベル情報を受ける。送信処理部(３２０)は、データをＭＣＳレベルに応じてエンコーディングして符号化されたデータ(codeddata)を形成し、この符号化されたデータを信号配列(signal constellation)上の位置を表現するデータシンボルにマッピングする。
【００２４】
ＭＩＭＯ前処理部(３３０)は、送信制御部(３１０)からプリコーダの入力を受けてデータシンボルに対してプリコーディング(Precoding)を実行して送信シンボルを生成する。プリコーディングは、送信するデータシンボルにプリコーダ(ベクトルまたは行列)をかけて前処理を実行する技法である。送信シンボルは、アンテナ(３４０-１,...,３４０-ＮT)を介してユーザ端末に送信される。
【００２５】
以下、サブバンドテーブル及びサブバンドインデックスに関して記述する。
【００２６】
マルチアンテナシステムにおける多数のユーザデータの送信において、各ユーザは、一つまたは複数個のサブバンドインデックス(subband index)を基地局に送信する。サブバンドは、論理的(logical)領域または物理的(physical)領域における基本単位である。例えば、サブバンドは、周波数帯域を区分する単位になることができ、資源ブロック(resource block)、資源タイル(resource tile)、ビン(bin)などと呼ばれることができる。
【００２７】
図４は、本発明によるサブバンドを示すグラフである。これは論理的領域でも、または物理的領域でもよい。
【００２８】
図４を参照すると、ｘ軸は時間領域であり、ｙ軸はシステムの周波数領域である。周波数領域は、図４のように、複数個のサブバンドに区分されることができる。サブバンドには多数の副搬送波が含まれることができる。サブバンドの帯域幅は、ＦＤＭ(Frequency Division Multiplexing)/ＦＤＭＡ(Frequency Division Multiple Access)すなわち周波数分割多元接続方式またはＯＦＤＭ(Orthogonal Frequency Division Multiplexing)/ＯＦＤＭＡ (Orthogonal Frequency Division Multiplex)すなわち直交周波数分割多重方式にともなうシステムが用いる全体周波数帯域または一部周波数帯域で均等または非均等に分割された領域である。図４では周波数領域を均等なサブバンドに区分しているが、システムの特性に従って非均等に区分されることもできる。基地局及びユーザ端末は、システム周波数帯域を多数のサブバンドに区分し、各サブバンド別にインデックスを付与する。
【００２９】
また、図３を参照すると、基地局及びユーザ端末は、システム周波数帯域を複数のサブバンドに区分し、各サブバンド別にインデックスを付与したサブバンドテーブル(３５０)を含む。サブバンドテーブル(３５０)は、データの処理のために適用されるプリコーダ、ＭＣＳのようなデータ処理情報を各サブバンド別に予め設定しておいたテーブルである。以下、各サブバンド別に決定されたデータ処理に関するプリセットをサブバンドプリセット情報(subband preset information)という。ユーザ端末は、各サブバンドのサブバンドプリセット情報を用いて所望の性能を提供するサブバンドを探し、そのサブバンドのインデックスを基地局に知らせると、基地局は、前記サブバンドプリセット情報に従って処理されたデータをサブバンドを介してユーザ端末に送信する。
【００３０】
サブバンドプリセット情報の一例は、プリコーダである。サブバンドプリセット情報の他の例は、ＭＣＳレベルである。また、サブバンドプリセット情報の他の例は、プリコーダ及びＭＣＳレベルがある。サブバンドテーブル(３５０)は、サブバンド別にＭＣＳレベル及び/またはプリコーダの多様な組合せで構成されることができる。サブバンドテーブル(３５０)は、ユーザ端末と基地局との間に予め約束された規約によりお互いに知っているテーブルであってもよく、基地局がユーザ端末に送信するテーブルであってもよい。基地局がサブバンドテーブル(３５０)をユーザ端末に送信する場合、サブバンドテーブル(３５０)は、ダウンリンク制御チャネルを介して送信されることができる。
【００３１】
一実施例において、サブバンドテーブル(３５０)は、表１のように構成されることができる。
【００３２】
【表１】
2010533409.tif 000003
【００３３】
表１は、３個のＭＣＳレベルと４個のプリコーダとを組合せたサブバンドテーブル(３５０)の例である。サブバンドインデックスは、０からＫまで設定されることができる(Ｋ≧０である整数)。ＭＣＳ０ないしＭＣＳ２は、変調符号化方式に対するインデックスである。例えば、ＭＣＳ０は２相位相変調(Binary Phase Shift Key：BPSK)、ＭＣＳ１は４相位相変調(Quadrature Phase Shift Key：QPSK)、また、ＭＣＳ２は１６直交振幅変調(16 Quadrature Amplitude Modulation：16QAM)を各々表し、コーディング方式は１/３ターボコードを使用することができる。プリコーダ０ないしプリコーダ３は、各々チャネル環境別に予め設定されたコードブックに属するプリコーダ(またはビーム形成ベクトル)を表すインデックスである。
【００３４】
ユーザ端末は、表１に従って全てのサブバンドに対して決められたＭＣＳレベル及びプリコーダを用いて各サブバンド別送信性能を判断する。最適の性能を有するサブバンドが決定されれば、ユーザ端末は、決定されたサブバンドのインデックスを基地局に送信する。もし、ユーザ端末が、任意時点のチャネル環境において、第０のサブバンドでＭＣＳレベル０とプリコーダ０とに基づいた性能が最適であると判断した場合、ユーザ端末は、サブバンドインデックス０を基地局に送信する。もし、ユーザ端末が、第０のサブバンドの以外に第６のサブバンドでＭＣＳレベル１とプリコーダ２とに基づいた性能も最適であると判断した場合、ユーザ端末は、サブバンドインデックス０と６とを共に基地局に送信することもできる。
【００３５】
他の実施例において、サブバンドテーブル(３５０)は、表２ように構成されることもできる。
【００３６】
【表２】
2010533409.tif 000004
【００３７】
表２は、表１と異なり、各サブバンドがＭＣＳレベルインデックスを除いたプリコーダインデックスだけで決定される。すなわち、ユーザ端末がプリコーダ０によってデータの送信を受けることを所望する場合、ユーザ端末は、サブバンドインデックス０だけを基地局に送信する、あるいはサブバンドインデックス４、８、１２、...等、プリコーダ０に決定された複数のサブバンドインデックスを基地局に送信することもできる。
【００３８】
ユーザ端末がチャネル品質情報(ＣＱＩ)/信号対干渉雑音比(ＳＩＮＲ)/搬送波対干渉雑音比(ＣＩＮＲ)/ＭＣＳレベルまたは所望のプリコーダ、サブバンドなどを選択する時は頻繁に変えられるチャネル状態に従って選択することより、一定期間に対して選択することが望ましい。すなわち、ＣＱＩ/ＳＩＮＲ/ＣＩＮＲ/ＭＣＳレベルの場合は、ユーザ端末が決定できる時間に比べてさらに余裕をおいて決定される。各ユーザ端末は、ＣＱＩ/ＳＩＮＲ/ＣＩＮＲ/ＭＣＳレベルまたはプリコーダインデックス、サブバンドなどを決定して周期的に基地局に知らせることもでき、必要によって非周期的に基地局に知らせることもできる。または基地局がユーザ端末に制御情報を要求する場合に知らせることもできる。
【００３９】
マルチアンテナを用いた多数のユーザデータの送信において、各ユーザ端末ごとに好むプリコーダやＭＣＳレベルが異なる場合、基地局は、適切なプリコーダ及び/またはＭＣＳレベルを選択するのが難しいことがある。このとき、サブバンド別にＭＣＳレベル及び/またはプリコーダが予め決められたサブバンドテーブル(３５０)を参照するようになると、ユーザ端末の立場ではＭＣＳレベル及び/またはプリコーダを別途に基地局に知らせる必要無しにサブバンドインデックスだけをフィードバックするため、フィードバックオーバーヘッドを減らすことができる。また、基地局の立場では、従来技術のようにユーザ端末ごとに多様なＭＣＳレベル及び/またはプリコーダを使用してスケジューリングする必要無しに、同じサブバンドインデックスを好むユーザ端末を集めて各ユーザ端末に対応するＭＣＳレベル及び/またはプリコーダを用いてデータを送信すればなるため、効率的な送信が可能である。
【００４０】
図５は、本発明の一実施例に係るユーザ端末(５００)を示すブロック図である。
【００４１】
図５を参照すると、ユーザ端末は、アンテナ(５１０-１,...,５１０-ＮR)、ＭＩＭＯ後処理部(５２０)、受信処理部(５３０)、受信制御部(５４０)を含む。
【００４２】
アンテナ(５１０-１,...,５１０-ＮR)から受信された信号は、ＭＩＭＯ後処理部(５２０)に入力される。ＭＩＭＯ後処理部(５２０)は、ＭＩＭＯ前処理部(図３の３３０)に対応する後処理を実行して送信シンボルをデータシンボルに変換する。受信処理部(５３０)は、ＭＩＭＯ後処理部(５２０)の出力であるデータシンボルを符号化されたデータにデマッピングし、符号化されたデータをデコーディングして元データを復元する。
【００４３】
受信制御部(５４０)はサブバンドテーブル(５５０)を含む。サブバンドテーブル(５５０)は基地局のサブバンドテーブル(５５０)と同じである。受信制御部(５４０)は、サブバンドテーブル(５５０)を参照して、サブバンド別に付与されたＭＣＳレベル及び/またはプリコーダを用いて各サブバンドに対する送信性能を判断する。受信制御部(５４０)は、送信性能の判断結果、最適の送信性能を提供するサブバンドのサブバンドインデックスを基地局に送信した後、サブバンドインデックスにともなうＭＣＳレベルを受信処理部(５３０)に入力して、サブバンドインデックスにともなうプリコーダをＭＩＭＯ後処理部(５２０)に入力する。
【００４４】
前述した基地局(３００)及びユーザ端末(５００)は、ＯＦＤＭ/ＯＦＤＭＡ方式のような多重搬送波を用いた方式だけでなく、ＴＤＭＡ、ＣＤＭＡ等、その他の無線接続方式にもそのまま適用することができる。
【００４５】
図６は、本発明の一実施例に係るサブバンドインデックスを送信する方法を示すフローチャートである。
【００４６】
図６を参照すると、ユーザ端末は、基地局にサブバンドインデックスを送信する(ステップＳ６１０)。ユーザ端末は、多数のユーザデータを送信する複数のユーザ端末(５００)であってもよい。各ユーザ端末は、各サブバンド別に決定されたＭＣＳレベル及び/またはプリコーダを用いて各サブバンドにおける送信性能を判断した後、最も良い性能を有するサブバンドのサブバンドインデックスの一つまたは複数個を基地局に送信する。
【００４７】
基地局は、ユーザ端末からサブバンドインデックスを受信する(ステップＳ６２０)。基地局は、多数のユーザデータが送信される場合、サービスにともなう複数のユーザ端末の各々からサブバンドインデックスを受信する。
【００４８】
基地局は、同じサブバンドインデックスを送信したユーザ端末同士でサブグループを形成する(ステップＳ６３０)。このとき、基地局は、サブグループに属するユーザ端末に同じＣＩＤ(Connection IDentification)を割り当て、一つのエンコーディングブロックとしてデータを送信する。ＣＩＤは、ユーザ端末のＭＡＣと基地局のＭＡＣとで対等なＭＡＣ接続を確認させる識別子である。ユーザ端末と基地局との間の接続状態に従って多様な種類のＣＩＤがある。レンジングＣＩＤ(ranging CID)は、ユーザ端末と基地局との間の正確なタイミングオフセットを得て初期送信パワーを調整して受信信号強度を周期的に追跡する等、ユーザ端末と基地局との間のレンジング過程で使われる。マルチキャストＣＩＤ(Multicast CID)は、ダウンリンクマルチキャストサービスのために同じ値に付与される。ブロードキャストＣＩＤ(Broadcast CID)は、ブロードキャスト情報を使用するために全てのユーザ端末に付与される。
【００４９】
このような方式にサブグループを形成して一つのエンコーディングブロックと同じプリコーダを使用してデータを送信すれば、ユーザ端末に資源を割り当てるためのＭＡＰメッセージの浪費を減らし、チャネルコーディングゲインを得ることができる。表３は、基地局がユーザ端末別にサブグループを形成する一例を表す。
【００５０】
【表３】
2010533409.tif 000005
【００５１】
表３では、第１及び第２のユーザ端末は、同じサブバンドインデックス０を送信したため、同じ第１のサブグループに属する。第３及び第５のユーザ端末は、サブバンドインデックス２を送信したため、第２のサブグループに属する。第４及び第６のユーザ端末は、サブバンドインデックス１を送信したため、第３のサブグループに属する。
【００５２】
基地局は、ユーザ端末にデータを送信する。基地局は、ユーザ端末から受信したサブバンドインデックスにともなうＭＣＳレベルに従ってデータをチャネルコーディングしてサブバンド帯域で変調した後、サブバンドインデックスにともなうプリコーダによって変調されたデータを前処理をしてマルチアンテナを介してユーザ端末に送信する。
【００５３】
以上、本発明に対して実施例を参照して説明したが、当該技術分野の通常の知識を有する者は、本発明の技術的思想及び領域から外れない範囲内で本発明を多様に修正及び変更させて実施できることを理解することができる。従って、前述した実施例に限定することではなく、本発明は特許請求の範囲内の全ての実施例を含む。
【図１】
2010533409.tif 000006
【図２】
2010533409.tif 000007
【図３】
2010533409.tif 000008
【図４】
2010533409.tif 000009
【図５】
2010533409.tif 000010
【図６】
2010533409.tif 000011
【国際調査報告】
2010533409.tif 000012
2010533409.tif 000013